(57)【特許請求の範囲】
【請求項１】
水没判定シールを有する携帯端末装置において、
前記水没判定シールを貼り付ける貼り付け板と、透明部材で形成され前記貼り付け板を所定の間隔を空けて保護する保護板とを有するシールユニットを、ケース内部でかつ前記保護板が前記ケースの一部に予め形成された開口部を塞ぐように設けたことを特徴とする携帯端末装置。
【請求項２】
前記シールユニットは、前記透明部材で一体形成されていることを特徴とする請求項１記載の携帯端末装置。
【請求項３】
前記貼り付け板は、凹状の切り欠きを有することを特徴とする請求項１記載の携帯端末装置。
【請求項４】
前記シールユニットは、前記ケースと別体であることを特徴とする請求項１記載の携帯端末装置。
【請求項５】
前記シールユニットは、前記保護板と垂直方向に延びる爪部を有し、一方、前記ケースは、前記シールユニットの保護板を載置する載置面と、前記爪部と嵌合可能な嵌合部と、を有することを特徴とする請求項４記載の携帯端末装置。
【請求項６】
前記シールユニットは、前記保護板の延長上に延びるリブを有し、前記ケースは、前記リブを挿入可能な突出部を有することを特徴とする請求項５記載の携帯端末装置。
【請求項７】
前記シールユニットは、前記保護板の一部に形成される第１の切り欠き部と、前記保護板の一部に前記第１の切り欠き部と並んで形成され、かつ前記第１の切り欠き部よりも小さい第２の切り欠き部とを有し、一方、前記ケースは、前記シールユニットの保護板を載置する載置面と、前記載置面上に形成され、前記第１の切り欠き部に対してはすり抜け、かつ前記第２の切り欠き部とは嵌合するフックと、を有することを特徴とする請求項４記載の携帯端末装置。
【請求項８】
前記シールユニットは、前記保護板の下側面の前記第２の切り欠き部側に形成されるストッパを有し、一方、前記ケースは、前記第１の切り欠き部が前記フックの位置にある場合には前記ストッパが前記開口部の外側に位置し、かつ前記第２の切り欠き部が前記フックと嵌合している場合には前記ストッパが前記開口部の内側に位置するように仕切る仕切り板を有することを特徴とする請求項７記載の携帯端末装置。
【請求項９】
前記シールユニットは、前記保護板の一部から前記ストッパと反対側の向きに延びるリブを有し、前記ケースは、前記リブを挿入可能な突出部を有することを特徴とする請求項８記載の携帯端末装置。
【発明の詳細な説明】
【０００１】
【発明の属する技術分野】
本発明は携帯電話などの携帯端末装置に関し、特に水没判定シールを有する携帯端末装置に関する。
【０００２】
携帯電話などの携帯端末装置の故障の原因としては、製造不良や部品の劣化などの他に、携帯端末装置内部の回路に水が侵入した場合もある。
【０００３】
【従来の技術】
従来、携帯電話では、水の侵入による故障を判断できるようにするため、携帯端末装置のケースに水没判定シールを貼り付けるようにしている。具体的には、ケースの表側に１次判定用のシールを貼り、ケース内部に２次判定用のシールを貼るようにしている。１次判定用のシールは、簡単に水と触れないように、バッテリ装着面や、イヤホンジャック部分のラバーの内側などに貼り付けている。そして、外側から見て１次判定用のシールが滲むなどして反応している場合には、ケースを開けて２次判定用のシールの状態を確認する。このとき、２次判定用のシールも反応していれば、その携帯電話が水没により故障した確率が高いと判断できる。
【０００４】
【発明が解決しようとする課題】
しかし、従来、携帯電話では、小雨に濡れたり、濡れた手で触っただけで、水滴がしみ込んで１次判定用のシールが反応してしまうという問題があった。また、２次判定用のシールは、ケースを開けて確認しなくてはならず、確認作業が面倒であった。
【０００５】
本発明はこのような点に鑑みてなされたものであり、水没判定シールを水滴などで容易に反応することを防止でき、かつケースを開けることなく水没状態の確認を行うことのできる携帯端末装置を提供することを目的とする。
【０００６】
【課題を解決するための手段】
上記目的を達成する本発明では、図１に示すように、水没判定シールを有する携帯端末装置において、前記水没判定シール３５を貼り付ける貼り付け板３１と、透明部材で形成され前記貼り付け板３１を所定の間隔を空けて保護する保護板３２とを有するシールユニット３０を、ケース１０内部でかつ前記保護板３２が前記ケース１０の一部に予め形成された開口部１４を塞ぐように設けたことを特徴とする携帯端末装置が提供される。
【０００７】
このような携帯端末装置では、シールユニット３０の貼り付け板３１の保護板３２と向かい合う面に、水没判定シール３５を貼り付け、透明部材で形成された保護板３２でケース１０の一部に予め形成された開口部１４を内側から塞ぐように、シールユニット３０をケース１０に取り付ける。こうして、取り付けた後の水没判定シール３５は、保護板３２によって外部から遮断されているので、水滴と簡単に接触することがない。ただし、保護板３２は、水没判定シール３５と所定の間隔を空けているので、携帯端末装置が水没してケース内に水が大量に侵入することがあれば、水没判定シール３５は確実に反応する。
【０００８】
また、保護板３２は透明部材で形成されているので、ケース１０を開けることなく、水没判定シール３５の状態を保護板３２を介して外部からを見ることができる。
【０００９】
【発明の実施の形態】
以下、本発明の一形態を図面を参照して説明する。
図２は本発明の第１の形態の携帯電話のリアケースの概略構成を示す斜視図である。リアケース１０は、樹脂を材料としており、射出成形により形成されている。リアケース１０の内側部分には、アンテナ１１などの各種要素部品が取り付けられる。また、リアケース１０の内側部分には、ボス部１２ａ，１２ｂ，１２ｃ，１２ｄが形成されている。これらボス部１２ａ，１２ｂ，１２ｃ，１２ｄ上には、図示されていない回路基板が取り付けられる。
【００１０】
リアケース１０の外側面には、バッテリパック２０を装着するための装着部が形成されている。バッテリパック２０には、フック２１，２２などが形成されており、これらフック２１，２２などがリアケース１０側に形成された図示されていない係止部と係止することにより、リアケース１０に装着される。
【００１１】
バッテリパック２０のフック２１，２２が係止する部分には、後述する開口部１４と、この開口部１４と対称形状の図示されていない開口部が形成されている。一方の開口部１４にはシールユニット３０が、他方の図示されていない開口部にはカバー４０が着脱可能に取り付けられている。
【００１２】
次に、シールユニット３０の具体的な構成について説明する。
図３は第１の形態のシールユニット３０の具体的な構成を示す斜視図である。シールユニット３０は、透明な樹脂で一体形成されている。このシールユニット３０には、主に、貼り付け板３１、保護板３２、ピン３３、リブ３４が形成されている。貼り付け板３１には、凹状の切り欠き部３１ａが形成されている。保護板３２は、貼り付け板３１と互いにほぼ平行に、かつ少なくとも水没判定シール３５の厚みよりも大きい所定間隔を空けて形成されている。
【００１３】
ピン３３は、保護板３２の一部から下方に延びるように形成されている。このピン３３の先端には、爪部３３ａが形成されている。リブ３４は、保護板３２のピン３３と反対側の端面から突出するように形成されている。
【００１４】
貼り付け板３１および保護板３２の隙間からは、水没判定シール３５が挿入され、その接着面３５ｂが貼り付け板３１の保護板３２側の面に貼り付けられている。すなわち、水没判定シール３５の水没判定面３５ａは、保護板３２側を向いた状態で貼り付けられている。水没判定面３５ａは、例えば色付きのラインが印刷されており、ある程度以上の水が触れると、そのラインが滲むようになっている。
【００１５】
なお、貼り付け板３１には凹状の切り欠き部３１ａが形成されているので、水没判定シール３５をピンセットなどで掴んだままでも、切り欠き部３１ａが逃げ部となって、容易に貼り付け作業が行える。
【００１６】
次に、カバー４０の具体的な構成について説明する。
図４は第１の形態のカバー４０の具体的な構成を示す斜視図である。カバー４０は、シールユニット３０の保護板３２とほぼ対称形に形成された密閉板４１と、その密閉板４１の一部に形成されるピン４２と、密閉板４１にピン４２と反対側の端面から突出するように形成されるリブ４３とから構成される。ピン４２は、シールユニット３０のピン３３とほぼ対称の位置に形成され、その先端部分には、ピン３３と同様に爪部４２ａが形成されている。
【００１７】
次に、シールユニット３０のリアケース１０への具体的な取り付け構造を説明する。
図１は図２のＸ−Ｘ線に沿う断面図である。リアケース１０には、内外を連通する開口部１４が形成されている。開口部１４の下部には、爪部１４ａが形成されており、バッテリパック２０のフック２１が係止できるようになっている。バッテリパック２０がリアケース１０に装着されているときは、開口部１４は塞がれた状態にある。
【００１８】
また、リアケース１０には、開口部１４と並んで挿入孔１５が形成されている。挿入孔１５には、シールユニット３０のピン３３が挿入可能となっている。この挿入孔１５の下部には、爪部１５ａが形成されており、ピン３３の爪部３３ａと係止できるようになっている。
【００１９】
さらに、リアケース１０のボス部１２ｄ付近には、開口部１４側に突き出るようにリブ１６が形成されている。このリブ１６は、その下側面１６ａが、開口部１４と挿入孔１５との間の仕切り部１７の上面１７ａよりも、シールユニット３０のリブ３４の厚みの程度だけ上方に位置するように形成されている。
【００２０】
このような構成のリアケース１０にシールユニット３０を装着する場合には、まず、ピン３３を適度に挿入孔１５に挿入し、リブ３４をスライドさせながらリブ１６の下側に挿入する。そして、爪部３３ａと爪部１５ａとが係止するところまでピン３３を押し込む。こうして、シールユニット３０の装着が完了する。
【００２１】
なお、リアケース１０のカバー４０が装着される部分には、開口部１４、挿入孔１５、およびリブ１６とほぼ同一形状の開口部、挿入孔、およびリブが形成されている。そして、開口部を密閉板４１で塞ぎ、挿入孔にピン４２を挿入し、リブの下にリブ４３を挿入させることにより、カバー４０が装着される。
【００２２】
こうしてシールユニット３０およびカバー４０が装着されたリアケース１０には、回路基板１８などが取り付けられ、さらにフロントケース１９が取り付けられる。これにより、携帯電話が完成する。
【００２３】
このような構成の携帯電話では、リアケース１０内に水没判定シール３５がシールユニット３０の一部として取り付けられているので、簡単に水滴が触れることがなく、携帯電話が水没してリアケース１０内に大量の水が侵入した場合のみ水没判定シール３５が反応する。よって、正確に水没の判定を行うことができる。
【００２４】
また、シールユニット３０全体は透明な部材で形成されているので、バッテリパック２０を取り外せば、保護板３２を介して水没判定シール３５の状態を容易に確認することができる。
【００２５】
さらに、本形態では、貼り付け板３１や保護板３２などのリアケース１０の面と平行な面を持つシールユニット３０およびカバー４０を、リアケース１０と別体構成としたので、リアケース１０の射出成形時に、スライド型を使用しなくてもヒケなどの発生を防止することができる。よって、外観品質を損なわずに済むとともに、作業効率もよい。
【００２６】
次に、本発明の第２の形態について説明する。
図５は本発明の第２の形態の携帯電話のリアケースの要部構成を示す斜視図である。リアケース５０全体は、樹脂を材料としており、射出成形により形成されている。リアケース５０上で、かつ第１の形態で示したリアケース１０のボス部１２ｃ，１２ｄに対応する部分には、ボス部５１ａ，５１ｂが形成されている。ボス部５１ｂ付近には、内外を連通する開口部５２が形成されている。同様に、ボス部５１ａ付近には、内外を連通する開口部５３が形成されている。
【００２７】
開口部５２の周囲の仕切り板５４の上面５４ａの一部には、フック５６が形成されている。フック５６は、その先端部５６ａが開口部側に向くように形成されている。また、仕切り板５４よりも図面右手前側には、凹部５５が形成されている。さらに、リアケース５０の凹部５５と反対側部分には、リブ５０１が開口部５２側に突出するように形成されている。このような開口部５２部分には、シールユニット６０が装着される。なお、シールユニット６０の具体的な構成および装着方法については後述する。
【００２８】
一方、開口部５３付近にも、開口部５２と同様に、仕切り板５７、凹部５８、フック５９、およびリブ５０２が形成されている。ただし、これらの形状は、開口部５２側とほぼ対称形に形成されている。このような開口部５３部分には、カバー７０が装着される。
【００２９】
次に、開口部５２部分の具体的な構成を説明する。
図６は図５のＹ−Ｙ線に沿う断面図である。開口部５２の下部には、爪部５２ａが形成されており、図１などで示したバッテリパック２０とほぼ同形状のバッテリパックのフックが係止できるようになっている。バッテリパックがリアケース５０に装着されているときは、開口部５２は塞がれた状態にある。シールユニット６０は、仕切り板５４の上面５４ａ上に載置され、装着される。
【００３０】
また、リブ５０１は、その下側面５０１ａが、仕切り板５４の上面５４ａよりも、シールユニット６０の後述するリブ６４の厚みの程度だけ上方に位置するように形成されている。
【００３１】
次にシールユニット６０の具体的な構成について説明する。
図７は第２の形態のシールユニット６０の具体的な構成を示す斜視図である。シールユニット６０は、透明な樹脂で一体形成されている。このシールユニット６０には、主に、貼り付け板６１、保護板６２、ストッパ６３、リブ６４が形成されている。貼り付け板６１には、凹状の切り欠き部６１ａが形成されている。保護板６２は、貼り付け板６１と互いにほぼ平行に、かつ少なくとも水没判定シール６５の厚みよりも大きい所定間隔を空けて形成されている。
【００３２】
ストッパ６３は、保護板６２の下側面の一部から下方に延びるように形成されている。リブ６４は、保護板６２のストッパ６３と反対側の端面から突出するように形成されている。保護板６２の端面には、大小の切り欠き部６２１，６２２が形成されている。大きい方の切り欠き部６２１は、その深さが、図５で示したフック５６の先端部５６ａの開口部５２方向の長さと同じか、やや深くなるように形成されている。一方、小さい方の切り欠き部６２２は、その深さが、フック５６の軸部５６ｂの開口部５２方向の厚み（仕切り板５４の厚み）と同じ程度となるように形成されている。
【００３３】
貼り付け板６１および保護板６２の隙間からは、水没判定シール６５が挿入され、その接着面が貼り付け板６１の保護板６２側の面に貼り付けられている。すなわち、水没判定シール６５の水没判定面６５ａは、保護板６２側を向いた状態で貼り付けられている。水没判定面６５ａは、例えば色付きのラインが印刷されており、ある程度以上の水が触れると、そのラインが滲むようになっている。
【００３４】
なお、貼り付け板６１には凹状の切り欠き部６１ａが形成されているので、水没判定シール６５をピンセットなどで掴んだままでも、切り欠き部６１ａが逃げ部となって、容易に貼り付け作業が行える。
【００３５】
図８は第２の形態のシールユニット６０の切り欠き部６２１，６２２側から見た側面図である。リブ６４は、その下端面６４ａが保護板６２の下端面６２ａと一致するように形成されている。
【００３６】
ストッパ６３の図面左側の端面６３ａは、テーパ状に形成されている。この端面６３ａと切り欠き部６２１の端面６２１ａとの距離Ｄ３は、図６におけるフック５６の左側の端面と仕切り板５４の右側の端面との間の距離Ｄ１とほぼ同じになるように形成されている。また、ストッパ６３の右側の端面６３ｂは、下端面６２ａとほぼ垂直に形成されている。この端面６３ｂと切り欠き部６２２の端面６２２ａとの距離Ｄ４は、図６におけるフック５６の右側の端面と仕切り板５４の左側の端面との間の距離Ｄ２とほぼ同じになるように形成されている。
【００３７】
次に、カバー７０の具体的な構成について説明する。
図９は第２の形態のカバー７０の具体的な構成を示す斜視図である。カバー７０は、シールユニット６０の保護板６２とほぼ対称形に形成された密閉板７１と、その密閉板７１の下側面の一部に形成されるストッパ７２と、密閉板７１にストッパ７２と反対側の端面から突出するように形成されるリブ７３とから構成される。また、密閉板７１には、大小の切り欠き部７１１，７１２が形成されている。これら切り欠き部７１１，７１２、ストッパ７２、およびリブ７３の位置や形状は、シールユニット６０の対応する部分とほぼ対称に形成されている。
【００３８】
次に、このような第２の形態のリアケース５０へのシールユニット６０の装着方法について説明する。
図１０は第２の形態のシールユニット６０の装着の第１段階の状態を示す断面図である。なお、ここでは、図６と同じ部分での断面を示している。シールユニット６０をリアケース５０に装着する場合、まず、切り欠き部６２１とリアケース５０のフック５６との位置合わせを行い、シールユニット６０を上方から仕切り板５４上に載置する。このとき、切り欠き部６２１は、図７で説明したように、その深さが、フック５６の先端部５６ａの開口部５２方向の長さと同じか、やや深くなるように形成されているので、フック５６は切り欠き部６２１をすり抜け、容易にシールユニット６０を仕切り板５４上に載置することができる。
【００３９】
また、図８で説明したように、端面６３ａと切り欠き部６２１の端面６２１ａとの距離Ｄ３と、フック５６の左側の端面と仕切り板５４の右側の端面との間の距離Ｄ１はほぼ同じ距離なので、シールユニット６０を仕切り板５４上に載置したときは、ストッパ６３は凹部５５内に挿入され、その端面６３ａが仕切り板５４の側面とほぼ接触した状態にある。
【００４０】
次いで、このような状態のシールユニット６０を図面左方向にスライドさせると、装着が完了する。
図１１は第２の形態のシールユニット６０の装着完了状態を示す断面図である。図１０の状態でシールユニット６０をスライドさせると、図１１に示すように、ストッパ６３が仕切り板５４を乗り越えて開口部５２側にくる。ストッパ６３の端面６３ａはテーパ状に形成されているので、適度の力を与えることで容易に仕切り板５４を乗り越えることができる。また、これと同時に、リブ６４がリブ５０１の下側に入り込む。さらに、フック５６が小さい方の切り欠き部６２２と嵌合する。よって、シールユニット６０の上下方向への動きが抑制される。また、このとき、フック５６の軸部５６ｂが切り欠き部６２２の端面６２２ａと当接することにより、シールユニット６０の左方向への進入が停止する。さらに、このとき、ストッパ６３の端面６３ｂが仕切り板５４の端面と当接するので、シールユニット６０の右方向への移動も抑止される。こうして、確実にシールユニット６０が装着される。
【００４１】
なお、カバー７０については、シールユニット６０と対称形状であること以外は、ほぼ同じ操作によって、開口部５３に装着することができる。
図１２はシールユニット６０およびカバー７０の装着後の状態を示す平面図である。シールユニット６０およびカバー７０はそれぞれ図５で示した開口部５２，５３を塞ぐように装着されている。このとき、シールユニット６０は、透明な樹脂で形成されているので、バッテリパックを取り外せば、リアケース５０の裏側から容易に水没判定シール６５の状態を確認することができる。
【００４２】
なお、第１の形態および第２の形態では、水没判定シールを設ける携帯端末装置として携帯電話の例を示したが、携帯型のパーソナルコンピュータや、ＰＨＳ（Personal Handyphone System）など他の携帯端末装置にも本発明を適用することができる。
【００４３】
【発明の効果】
以上説明したように本発明では、シールユニットの貼り付け板の保護板と向かい合う面に、水没判定シールを貼り付け、さらに、透明部材で形成された保護板でケースの一部に予め形成された開口部を内側から塞ぐように、シールユニットをケースに取り付けるようにしたので、水没判定シールを保護板によって外部から遮断することができ、水滴が簡単に接触することを防止することができる。また、保護板を水没判定シールと所定の間隔を空けているので、携帯端末装置が水没してケース内に水が大量に侵入することがあれば、水没判定シールは確実に反応する。
【００４４】
また、保護板を透明部材で形成したので、ケースを開けることなく、水没判定シールの状態を保護板を介して外部からを見ることができる。
【図面の簡単な説明】
【図１】図２のＸ−Ｘ線に沿う断面図である。
【図２】第１の形態の携帯電話のリアケースの概略構成を示す斜視図である。
【図３】第１の形態のシールユニットの具体的な構成を示す斜視図である。
【図４】第１の形態のカバーの具体的な構成を示す斜視図である。
【図５】第２の形態の携帯電話のリアケースの要部構成を示す斜視図である。
【図６】図５のＹ−Ｙ線に沿う断面図である。
【図７】第２の形態のシールユニットの具体的な構成を示す斜視図である。
【図８】第２の形態のシールユニットの切り欠き部側から見た側面図である。
【図９】第２の形態のカバーの具体的な構成を示す斜視図である。
【図１０】第２の形態のシールユニットの装着の第１段階の状態を示す断面図である。
【図１１】第２の形態のシールユニットの装着完了状態を示す断面図である。
【図１２】シールユニットおよびカバーの装着後の状態を示す平面図である。
【符号の説明】
１０  リアケース
１４  開口部
１５  挿入孔
１６  リブ
１７  仕切り板
２０  バッテリパック
３０  シールユニット
３１  貼り付け板
３１ａ  切り欠き部
３２  保護板
３３  ピン
３４  リブ
３５  水没判定シール
【図１】
0003758843.tif 000002
【図２】
0003758843.tif 000003
【図３】
0003758843.tif 000004
【図４】
0003758843.tif 000005
【図５】
0003758843.tif 000006
【図６】
0003758843.tif 000007
【図７】
0003758843.tif 000008
【図８】
0003758843.tif 000009
【図９】
0003758843.tif 000010
【図１０】
0003758843.tif 000011
【図１１】
0003758843.tif 000012
【図１２】
0003758843.tif 000013